(57)【要約】【課題】内燃機関と電動機とを動力源として備えるハイブリッド車両において、外気温度に適さない貯留燃料を逸早く消費することのできるハイブリッド車両の制御装置を提供する。【解決手段】貯留燃料の燃料密度に対応する閾値外気温Ｔ１およびＴ２を算出する（ステップ１００）。温度センサ３４によって検出された外気温度Ｔが閾値外気温Ｔ１よりも大きいか否かを判定する（ステップ１０２）。その結果、Ｔ＞Ｔ１の成立が認められた場合には、ＥＶレンジを通常時よりも縮小する（ステップ１０４）。また、Ｔ＞Ｔ１の成立が認められない場合には、外気温度Ｔが閾値外気温Ｔ２よりも小さいか否かを判定する（ステップ１０６）。その結果、Ｔ＜Ｔ２の成立が認められた場合には、ＥＶレンジを通常時よりも縮小する。また、Ｔ＜Ｔ２の成立が認められない場合には、通常時のＥＶレンジに戻す。【選択図】図３
2011246042.tif 000002
【特許請求の範囲】
【請求項１】
内燃機関と電動機とを動力源として備えるハイブリッド車両の制御装置であって、
前記内燃機関に供給される燃料を貯留するための燃料タンクと、
前記燃料タンク内に貯留されている貯留燃料の燃料密度を検出する燃料性状検出手段と、
前記燃料密度に基づいて、前記内燃機関の運転に適した外気温度の許容温度範囲を設定する設定手段と、
外気温度を検出する外気温度検出手段と、
前記外気温度が前記許容温度範囲に属さない場合に、前記内燃機関において消費される燃料量を増大させる燃料消費量増大手段と、
を備えることを特徴とするハイブリッド車両の制御装置。
【請求項２】
前記内燃機関の運転が停止されると共に前記電動機から走行用の動力が出力される電動走行モードと、走行用の動力の一部または全部が前記内燃機関から出力される機関走行モードとを切り替え可能な切替手段と、
走行に要求される要求負荷および要求回転数が低負荷低回転側の所定領域を超えるまでの間は前記電動走行モードで走行し、前記要求負荷および要求回転数が前記所定領域を超えた場合には前記機関走行モードで走行する走行モード制御手段と、を更に備え、
前記燃料消費量増大手段は、前記外気温度が前記外気温度範囲に属さない場合に、属する場合に比して前記所定領域を縮小することを特徴とする請求項１記載のハイブリッド車両の制御装置。
【請求項３】
前記内燃機関の運転が停止されると共に前記電動機から走行用の動力が出力される電動走行モードと、走行用の動力の一部または全部が前記内燃機関から出力される機関走行モードとを切り替え可能な切替手段と、
走行に要求される要求駆動力が所定の閾値を超えるまでの間は前記電動走行モードで走行し、前記要求駆動力が前記閾値を超えた場合には前記機関走行モードで走行する走行モード制御手段と、を更に備え、
前記燃料消費量増大手段は、前記外気温度が前記外気温度範囲に属さない場合に、属する場合に比して前記閾値を低い値に設定することを特徴とする請求項１記載のハイブリッド車両の制御装置。
【請求項４】
前記設定手段は、前記燃料密度が低いほど前記許容温度範囲の上限値を低く設定することを特徴とする請求項１乃至３の何れか１項記載のハイブリッド車両の制御装置。
【請求項５】
前記設定手段は、前記燃料密度が高いほど前記許容温度範囲の下限値を高く設定することを特徴とする請求項１乃至４の何れか１項記載のハイブリッド車両の制御装置。
【発明の詳細な説明】
【技術分野】
【０００１】
本発明は、ハイブリッド車両の制御装置に関する。
【背景技術】
【０００２】
走行用の動力として内燃機関と電動機とを併用するハイブリッド車両が広く普及している。また、近年では、外部電源によりバッテリを充電可能に構成された、いわゆるプラグイン型のハイブリッド車両も知られている。
【０００３】
特開２００９−２６４１３８号公報には、エンジンとモータとを有するハイブリッドエンジンシステムにおいて、要求駆動力の低い側から順に、モータのみで駆動する領域Ｒ１と、エンジンのみで駆動する領域Ｒ２と、エンジンとモータとの双方で駆動する領域Ｒ３とを設定し、燃料のエタノール濃度が高い場合ほど、エンジンのみで駆動する領域Ｒ２を高駆動力側へ拡大するとともに、エンジンとモータとの双方で駆動する領域Ｒ３を縮小する技術が開示されている。
【先行技術文献】
【特許文献】
【０００４】
【特許文献１】特開２００９−２６４１３８号公報
【特許文献２】特開２００９−７９９７８号公報
【特許文献３】特開２００８−１０７０９８号公報
【発明の概要】
【発明が解決しようとする課題】
【０００５】
ところで、近年のプラグイン型ハイブリッド車両においては、バッテリからの電力の利用をできるだけを促進させてエネルギ効率を向上させるべく、電動機のみで走行する電動走行モードの領域が拡大されている。すなわち、このような車両においては、エンジンを使用する機会が減少し、これによりタンク内の燃料が消費されずに長期間貯留されることが想定される。
【０００６】
ここで、給油される燃料は季節や地域によって種々多様なものが存在する。例えば、通常夏季には燃料密度の高い燃料（いわゆる夏季燃料）が広く流通する。夏季燃料は、高温環境下におけるベーパロックやエバポエミッション悪化を抑制するために、低温蒸発性が低くなるように精製されている。このため、夏季燃料が冬季まで貯留されている場合には、外気温度の低い環境下での使用によって始動性悪化の問題が生じるおそれがある。
【０００７】
また、反対に冬季には燃料密度の低い燃料（いわゆる冬季燃料）が広く流通する。冬季燃料は、始動性悪化を抑制するために、低温蒸発性が高くなるように精製されている。このため、冬季燃料が夏季まで貯留されている場合には、外気温度の高い環境下での使用によってベーパロックやエバポエミッション悪化の問題が顕著化してしまう。つまり、貯留されている燃料の性状（例えば燃料密度）と外気環境（例えば外気温度）との関係が不適切となると、エミッション特性やドライバビリティなどに悪影響を及ぼすことが懸念される。
【０００８】
この発明は、上述のような課題を解決するためになされたもので、内燃機関と電動機とを動力源として備えるハイブリッド車両において、外気温度に適さない貯留燃料を逸早く消費することのできるハイブリッド車両の制御装置を提供することを目的とする。
【課題を解決するための手段】
【０００９】
第１の発明は、上記目的を達成するため、内燃機関と電動機とを動力源として備えるハイブリッド車両の制御装置であって、
前記内燃機関に供給される燃料を貯留するための燃料タンクと、
前記燃料タンク内に貯留されている貯留燃料の燃料密度を検出する燃料性状検出手段と、
前記燃料密度に基づいて、前記内燃機関の運転に適した外気温度の許容温度範囲を設定する設定手段と、
外気温度を検出する外気温度検出手段と、
前記外気温度が前記許容温度範囲に属さない場合に、前記内燃機関において消費される燃料量を増大させる燃料消費量増大手段と、
を備えることを特徴とする。
【００１０】
第２の発明は、第１の発明において、
前記内燃機関の運転が停止されると共に前記電動機から走行用の動力が出力される電動走行モードと、走行用の動力の一部または全部が前記内燃機関から出力される機関走行モードとを切り替え可能な切替手段と、
走行に要求される要求負荷および要求回転数が低負荷低回転側の所定領域を超えるまでの間は前記電動走行モードで走行し、前記要求負荷および要求回転数が前記所定領域を超えた場合には前記機関走行モードで走行する走行モード制御手段と、を更に備え、
前記燃料消費量増大手段は、前記外気温度が前記外気温度範囲に属さない場合に、属する場合に比して前記所定領域を縮小することを特徴とする。
【００１１】
第３の発明は、第１の発明において、
前記内燃機関の運転が停止されると共に前記電動機から走行用の動力が出力される電動走行モードと、走行用の動力の一部または全部が前記内燃機関から出力される機関走行モードとを切り替え可能な切替手段と、
走行に要求される要求駆動力が所定の閾値を超えるまでの間は前記電動走行モードで走行し、前記要求駆動力が前記閾値を超えた場合には前記機関走行モードで走行する走行モード制御手段と、を更に備え、
前記燃料消費量増大手段は、前記外気温度が前記外気温度範囲に属さない場合に、属する場合に比して前記閾値を低い値に設定することを特徴とする。
【００１２】
第４の発明は、第１乃至第３の何れか１つの発明において、
前記設定手段は、前記燃料密度が低いほど前記許容温度範囲の上限値を低く設定することを特徴とする。
【００１３】
第５の発明は、第１乃至第４の何れか１つの発明において、
前記設定手段は、前記燃料密度が高いほど前記許容温度範囲の下限値を高く設定することを特徴とする。
【発明の効果】
【００１４】
第１の発明によれば、外気温度が、燃料タンクに貯留されている貯留燃料の燃料密度に対応して設定される外気温度の許容温度範囲に属さない場合に、内燃機関において消費される燃料量が増大される。このため、本発明によれば、外気温度に適さない貯留燃料を逸早く消費することができる。
【００１５】
第２の発明によれば、機関走行モードが行われる領域を拡大することで、機関走行モードの実施機会を増やすことができるので、内燃機関で消費される燃料量を有効に増大させることができる。
【００１６】
第３の発明によれば、電動走行モードから機関走行モードへの切り替えの閾値を低く設定することで、機関走行モードの実施機会を増やすことができるので、内燃機関で消費される燃料量を有効に増大させることができる。
【００１７】
第４の発明によれば、燃料密度が低い燃料ほど外気温度範囲の上限値が低く設定される。燃料密度が低いほど燃料中の低温蒸発成分の含有割合が高くなるため、エバポエミッションの観点から判断する不適切な温度範囲は低温側に拡大する。本発明によれば、低温蒸発性の高い燃料ほど外気温度範囲の上限が低温側に狭まるので、外気温度に適さない貯留燃料を逸早く消費することができる。
【００１８】
第５の発明によれば、燃料密度が高い燃料ほど外気温度範囲の下限値が高く設定される。燃料密度が高いほど燃料中の低温蒸発成分の含有割合が低くなるため、始動性の観点から判断する不適切な温度範囲は高温側に拡大する。本発明によれば、低温蒸発性の低い燃料ほど外気温度範囲の下限が高温側に狭まるので、外気温度に適さない貯留燃料を逸早く消費することができる。
【図面の簡単な説明】
【００１９】
【図１】本発明の実施の形態１のシステム構成を説明するための図である。
【図２】燃料密度および外気温度に対するＥＶモードを規定するマップである。
【図３】本発明の実施の形態１において実行されるルーチンのフローチャートである。
【発明を実施するための形態】
【００２０】
以下、図面に基づいてこの発明の実施の形態について説明する。尚、各図において共通する要素には、同一の符号を付して重複する説明を省略する。また、以下の実施の形態によりこの発明が限定されるものではない。
【００２１】
実施の形態１．
［実施の形態１の構成］
図１は、本発明の実施の形態１のシステム構成を説明するための図である。図１に示すハイブリッド車両１０は、車両の動力源として、内燃機関１２と電動機１４とを備えている。また、ハイブリッド車両１０は、発電機１６を備えている。内燃機関１２、電動機１４および発電機１６は、動力分配統合機構１８を介して相互に連結されている。動力分配統合機構１８につながる電動機１４の回転軸には、減速機２０が接続されている。減速機２０は、電動機１４の回転軸と、駆動輪２２につながる駆動軸２４とを連結している。動力分配統合機構１８は、内燃機関１２の駆動力を、発電機１６側と減速機２０側とに分割することができる。動力分配統合機構１８による駆動力の配分は、任意に変更することができる。また、発電機１６は、内燃機関１２を始動するスタータとして機能することもできる。
【００２２】
ハイブリッド車両１０は、更に、インバータ２６、コンバータ２８およびバッテリ３０を備えている。インバータ２６は、発電機１６および電動機１４に接続されているとともに、コンバータ２８を介してバッテリ３０にも接続されている。発電機１６で発電された電力は、インバータ２６を介して電動機１４に供給することもできるし、インバータ２６およびコンバータ２８を介してバッテリ３０に充電することもできる。また、バッテリ３０に充電されている電力は、コンバータ２８およびインバータ２６を介して電動機１４に供給することができる。
【００２３】
また、上述したバッテリ３０は、外部電源（家庭用電源など）から供給される電力により、充電回路３２を介して充電を受けられるように構成されている。つまり、本実施形態のハイブリッド車両１０は、いわゆるプラグイン型のハイブリッド車両として構成されている。
【００２４】
また、ハイブリッド車両１０は、ＥＣＵ(Electronic Control Unit)５０を備えている。ＥＣＵ５０には、上述した各構成機器のほか、内燃機関１２が備える各種のアクチュエータ（燃料インジェクタ、点火プラグ、スロットル弁など）、外気温を検出する温度センサ３４、燃料タンク（図示省略）内に貯留されている燃料の燃料密度を検出する燃料性状センサ３６、およびその他の各種センサ（エアフローメータ、吸気温センサ、冷却水温センサなど）が電気的に接続されている。燃料性状センサ３６としては、例えば、特開２００９−１０７０９８号公報（特許文献３）に開示されている光学式のセンサを用いることができる。
【００２５】
ＥＣＵ５０は、車速やアクセル開度などに基づいて、車両の走行に要求される要求駆動力を算出する。そして、その要求駆動力が駆動輪２２に出力されるように、内燃機関１２および電動機１４等の作動を制御する。
【００２６】
[実施の形態１の動作]
本実施の形態のハイブリッド車両１０は、内燃機関１２の運転を停止させ、電動機１４の駆動力のみによって駆動輪２２を回転させて走行することが可能である。この走行モードを以下「ＥＶ走行モード」と称する。
【００２７】
また、本実施形態のハイブリッド車両１０は、内燃機関１２の駆動力のみによって駆動輪２２を回転させて走行することが可能であり、更に、内燃機関１２および電動機１４の双方の駆動力によって駆動輪２２を回転させて走行することも可能である。これらの走行モードを総称して以下「機関走行モード」と言う。
【００２８】
ＥＣＵ５０は、要求駆動力が所定の閾値（以下、「機関始動閾値」と称する）を超えない間は、内燃機関１２を停止させ、走行用の動力を電動機１４のみから出力するＥＶ走行モードで走行するように制御する。一方、要求駆動力が機関始動閾値を超えた場合には、ＥＣＵ５０は、内燃機関１２を始動し、機関走行モードで走行するように制御する。すなわち、要求駆動力が機関始動閾値を超えた場合には、走行用の動力の全部を内燃機関１２から出力するか、あるいは内燃機関１２と電動機１４とで分担して走行用の動力を出力する。
【００２９】
本実施形態のハイブリッド車両１０のようなプラグイン型ハイブリッド車両では、走行開始前に外部電源からの電力によりバッテリ３０を予め充電しておくことができる。したがって、走行時のエネルギ効率を向上する観点からは、できるだけ、内燃機関１２を停止させたまま、バッテリ３０からの電力によって電動機１４を駆動して走行することが望ましい。すなわち、機関始動閾値をなるべく高い値に設定し、ＥＶ走行モードで走行する範囲（以下、「ＥＶレンジ」と称する）を広くすることが望ましい。
【００３０】
しかしながら、ＥＶレンジを広くすると、内燃機関１２の作動機会が減少する。このため、燃料タンク内の燃料が消費されずに長期間貯留されることも想定される。ここで、給油される燃料は季節や地域によって種々多様なものが存在する。例えば、通常夏季には燃料密度の高い燃料（いわゆる夏季燃料）が広く流通する。夏季燃料は、高温環境下におけるベーパロックやエバポエミッション悪化を抑制するために、低温蒸発性が低くなるように精製されている。このため、夏季燃料が冬季まで貯留されている場合には、外気温度の低い環境下での使用によって始動性悪化の問題が生じるおそれがある。
【００３１】
また、反対に冬季には燃料密度の低い燃料（いわゆる冬季燃料）が広く流通する。冬季燃料は、始動性悪化を抑制するために、低温蒸発性が高くなるように精製されている。このため、冬季燃料が夏季まで貯留されている場合には、外気温度の高い環境下での使用によってベーパロックやエバポエミッション悪化の問題が顕著化してしまう。つまり、貯留されている燃料の性状（例えば燃料密度）と外気環境（例えば外気温度）との関係が不適切となると、エミッション特性やドライバビリティなどに悪影響を及ぼすことが懸念される。
【００３２】
そこで、本実施の形態１のシステムでは、貯留されている燃料の燃料密度と外気温度との関係が不適切な場合に、当該貯留されている燃料を逸早く消費することとする。より具体的には、外気温度が、燃料の燃料密度に対応する許容温度範囲から外れる場合に、ＥＶレンジを縮小することとする。ここで、許容温度範囲は、対応する燃料密度の燃料を使用した場合に、問題なく燃焼可能な温度範囲を意味しており、例えば、図２に示すマップにより規定されている。
【００３３】
図２は、燃料の燃料密度および外気温度に対するＥＶレンジを規定するマップである。この図において、閾値外気温Ｔ１は、許容温度範囲の上限値に対応する温度であり、燃料密度が低いほど閾値が低い温度となるように規定されている。これは、燃料密度が低いほど燃料中の低温蒸発成分の含有割合が高くなるため、エバポエミッションの観点から判断する不適切な温度範囲が低温側に拡大するからである。また、閾値外気温Ｔ２は、許容温度範囲の下限値に対応する温度であり、燃料密度が高いほど閾値が高い温度となるように規定されている。これは、燃料密度が高いほど燃料中の低温蒸発成分の含有割合が低くなるため、始動性の観点から判断する不適切な温度範囲が高温側に拡大するからである。
【００３４】
図２に示すマップでは、外気温度が閾値外気温Ｔ１よりも低く且つ閾値外気温Ｔ２よりも高い領域が、上述した許容温度範囲に属する領域となる。この領域では、外気温度と燃料密度との関係が適切であるため、通常のＥＶレンジ、すなわち通常の機関始動閾値での運転が行われる。
【００３５】
一方、外気温度が閾値外気温Ｔ１よりも高い領域は、上述した許容温度範囲に属さない領域となる。この領域は、外気温度と燃料密度との関係が不適切な場合として、例えば、燃料密度の低い冬季燃料が外気温度の高い時期に使用される場合などが該当する。また、外気温度が閾値外気温Ｔ２よりも低い領域についても、上述した許容温度範囲に属さない領域となる。この領域は、外気温度と燃料密度との関係が不適切な場合として、例えば、燃料密度の高い夏季燃料が外気温度の低い時期に使用される場合などが該当する。
【００３６】
本実施の形態のシステムでは、これらの許容温度範囲に属さない領域をＥＶレンジが縮小されるＥＶレンジ縮小域とする。より具体的には、このＥＶレンジ縮小域では、機関始動閾値が通常ＥＶレンジのそれに比して低い値に設定される。その結果、要求駆動力が比較的低い段階で、ＥＶ走行モードから機関走行モードへの切り替えが実行される。このため、機関走行モードでの走行機会が増大するため、燃料消費量を有効に増大させることができる。これにより、燃料を逸早く消費することができるので、その後の新たな燃料の給油によって外気温度と燃料密度との関係を適切にし、エミッションやドライバビリティなどに悪影響が出ることを確実に防止することができる。
【００３７】
［実施の形態１の具体的処理］
次に、本実施の形態１の具体的処理について詳細に説明する。図３は、上記の機能を実現するために本実施形態においてＥＣＵ５０が実行するルーチンのフローチャートである。図３に示すルーチンでは、先ず、燃料性状センサ３６によって検出された燃料密度に対応する閾値外気温Ｔ１およびＴ２が、図２に示すマップから算出される（ステップ１００）。
【００３８】
次に、温度センサ３４によって検出された外気温度Ｔが閾値外気温Ｔ１よりも大きいか否かが判定される（ステップ１０２）。その結果、Ｔ＞Ｔ１の成立が認められた場合には、燃料性状に対して外気温度Ｔが高すぎる（許容範囲外）と判断されて、次のステップに移行し、ＥＶレンジが縮小される（ステップ１０４）。ここでは、具体的には、機関始動閾値が通常のＥＶレンジのそれに比して低い値に設定される。
【００３９】
一方、上記ステップ１０２においてＴ＞Ｔ１の成立が認められない場合には、次のステップに移行し、外気温度Ｔが閾値外気温Ｔ２よりも小さいか否かが判定される（ステップ１０６）。その結果、Ｔ＜Ｔ２の成立が認められた場合には、燃料性状に対して外気温度Ｔが低すぎる（許容範囲外）と判断されて、上記ステップ１０４に移行し、ＥＶレンジが縮小される。
【００４０】
一方、上記ステップ１０６において、Ｔ＜Ｔ２の成立が認められない場合には、燃料性状に対して外気温度Ｔが適切な範囲である（許容範囲内）と判断されて、次のステップに移行し、通常のＥＶレンジに制御される。
【００４１】
以上説明したとおり、本実施の形態１のシステムによれば、外気温度Ｔと燃料密度との関係が不適切な場合に、ＥＶレンジが縮小されて燃料消費量が増大される。これにより、現在貯留されている燃料を逸早く消費することができるので、その後の適切な燃料の給油によって、本来のエミッション特性およびドライバビリティを発揮することができる。
【００４２】
ところで、本実施の形態１のシステムのハイブリッド車両１０は、いわゆるプラグイン型のハイブリッド車両として構成されているが、外部電源からの充電機能を備えない通常のハイブリッド車両として構成されていてもよい。
【００４３】
また、本実施の形態１のシステムでは、燃料消費量を増大させるための構成として、ＥＶレンジを縮小する構成を有しているが、例えば、機関走行モードにおいて、電動機１４に対する内燃機関１２の出力割合を大きくすることとしてもよい。
【００４４】
また、本実施の形態１のシステムでは、外気温度Ｔとして温度センサ３４の検出値を用いているが、吸気温センサを備えるシステムでは、検出された吸気温を外気温度Ｔとして使用することとしてもよい。
【００４５】
また、本実施の形態１のシステムでは、要求駆動力と機関始動閾値との大小を比較することにより、ＥＶ走行モードと機関走行モードとの切り替えを制御することとしているが、要求駆動力に替えて車両に要求される負荷および回転数に基づいてこれらの切り替えを制御することとしてもよい。より具体的には、例えば、所定の低負荷低回転の領域をＥＶ走行モードが行われる領域とし、それよりも高負荷高回転となる領域を機関走行モードが行われる領域として規定することとしてもよい。この場合、ＥＶレンジを通常のＥＶレンジよりも縮小させる場合には、ＥＶ走行モードが行われる所定の低負荷低回転の領域を更に低負荷低回転となる方向に縮小すればよい。これにより、機関走行モードが行われる領域が有効に拡大されるので、燃料消費量を増大させることができる。
【００４６】
尚、上述した実施の形態１においては、燃料性状センサ３６が前記第１の発明における「燃料性状検出手段」に、温度センサ３４が前記第１の発明における「外気温度検出手段」に、それぞれ相当している。また、ＥＣＵ５０が、上記ステップ１００の処理を実行することにより前記第１の発明における「設定手段」が、上記ステップ１０４の処理を実行することにより前記第１の発明における「燃料消費量増大手段」が、それぞれ実現されている。
【００４７】
また、上述した実施の形態１においては、動力分配統合機構１８が前記第２の発明における「切替手段」に、ＥＶ走行モードが前記第２の発明における「電動走行モード」に、所定の低負荷低回転の領域が前記第２の発明における「所定領域」に、それぞれ相当している。また、ＥＣＵ５０が、上記ステップ１０４の処理を実行することにより前記第２の発明における「燃料消費量増大手段」が実現されている。
【００４８】
また、上述した実施の形態１においては、動力分配統合機構１８が前記第３の発明における「切替手段」に、ＥＶ走行モードが前記第３の発明における「電動走行モード」に、機関始動閾値が前記第３の発明における「閾値」に、それぞれ相当している。また、ＥＣＵ５０が、上記ステップ１０４の処理を実行することにより前記第３の発明における「燃料消費量増大手段」が実現されている。
【００４９】
また、上述した実施の形態１においては、閾値外気温Ｔ１が前記第３の発明における「許容温度範囲の上限値」に、閾値外気温Ｔ２が前記第４の発明における「許容温度範囲の下限値」に、それぞれ相当している。
【符号の説明】
【００５０】
１０  ハイブリッド車両
１２  内燃機関
１４  電動機
１６  発電機
１８  動力分配統合機構
２０  減速機
２２  駆動輪
２４  駆動軸
２６  インバータ
２８  コンバータ
３０  バッテリ
３２  充電回路
３４  温度センサ
３６  燃料性状センサ
５０  ＥＣＵ（Electronic Control Unit）
【図１】
2011246042.tif 000003
【図２】
2011246042.tif 000004
【図３】
2011246042.tif 000005